(57)【要約】【課題】  簡単な構造で、汎用性や積荷効率が優れ、保管、又は、運搬する、例えば、画像形成装置、又は、画像形成装置に関連する画像形成装置関連物品等の物品の破損を容易に防止して低コストであるパレット、及び、そのパレットを具備する循環型運搬梱包装置を提供する。【解決手段】  選択された大きさのデッキボード１と、上記デッキボード１を載置するパレット本体２と、上記パレット本体２を２分割した形状の一方の分割パレット２ａと、上記一方の分割パレット２ａと分割した方向に配置した他方の分割パレット２ｂとからなる。【選択図】        図１
2005187038.tif 000002
【特許請求の範囲】
【請求項１】
運搬や保管する物品を載置するパレットであって、
上記物品を載置するデッキボードと、上記デッキボードを支持するパレット本体と、を備え、
上記パレット本体は、２分割した形状の２つの分割パレットから成ることを特徴とするパレット。
【請求項２】
上記デッキボードと上記２つの分割パレットとを、嵌合手段を介して着脱自在に連結可能に構成したことを特徴とする請求項１記載のパレット。
【請求項３】
上記分割パレットは、大きさが異なるデッキボードを交換して支持することが可能であることを特徴とする請求項１、又は２に記載のパレット。
【請求項４】
上記２つの分割パレットの分割方向寸法が異なるデッキボードを交換して支持することが可能であることを特徴とする請求項１、２又は３に記載のパレット。
【請求項５】
請求項１、２、３又は４に記載のパレットにおいて、上記各分割パレットは、荷役時に使用する荷役用空間の両側方に端脚部を備えることを特徴とするパレット。
【請求項６】
請求項５に記載のパレットにおいて、上記各分割パレットは、２つの荷役用空間の中間位置に中間脚部を備えていることを特徴とするパレット。
【請求項７】
請求項１、２、３、４、５又は６に記載のパレットにおいて、上記各分割パレットは、デッキボードの外周の側面を囲むデッキボード囲み部を備えることを特徴とするパレット。
【請求項８】
請求項２、３、４、５、６又は７に記載のパレットにおいて、嵌合手段は、凸形状の凸形状部と、上記凸形状部に着脱可能に嵌め合う凹形状の凹形状部とからなることを特徴とするパレット。
【請求項９】
請求項８に記載のパレットにおいて、凸形状部は、上記各分割パレットの上面であって、デッキボードの下面に形成された凹形状部と嵌合する位置に形成したことを特徴とするパレット。
【請求項１０】
請求項８又は９に記載のパレットにおいて、凸形状部と凹形状部は、上記各分割パレットの上面、及び、デッキボードの下面に、千鳥足の形状に複数個を配列したことを特徴とするパレット。
【請求項１１】
請求項１乃至１０の何れか一項に記載のパレットにおいて、上記各分割パレットの中間位置に、デッキボードの強度を補強する中間補強パレットを配置したことを特徴とするパレット。
【請求項１２】
運搬や保管する物品の梱包に繰り返し使用する循環型運搬梱包装置において、運搬や保管する物品を固定して載置する台座部材と、上記台座部材を上記請求項１乃至１１の何れか一項に記載のパレット上に緩衝部材を介して固定する固定手段とからなることを特徴とする循環型運搬梱包装置。
【請求項１３】
請求項１２に記載の循環型運搬梱包装置において、緩衝部材は、弾性を持つ材質で、且つ、振動、及び、衝撃を吸収する無反発性材料からからなることを特徴とする循環型運搬梱包装置。
【請求項１４】
請求項１２又は１３に記載の循環型運搬梱包装置において、緩衝部材は、弾性を持ち、且つ、振動、及び、衝撃を吸収する無反発護謨からなることを特徴とする循環型運搬梱包装置。
【請求項１５】
請求項１２、１３又は１４に記載の循環型運搬梱包装置において、緩衝部材は、着脱手段により台座部材の下面に着脱可能であることを特徴とする循環型運搬梱包装置。
【請求項１６】
請求項１５に記載の循環型運搬梱包装置において、着脱手段は、マジックテープからなることを特徴とする循環型運搬梱包装置。
【請求項１７】
請求項１５に記載の循環型運搬梱包装置において、着脱手段は、台座部材に形成された係止部に着脱可能な緩衝部材と一体に形成した係合部からなることを特徴とする循環型運搬梱包装置。
【請求項１８】
請求項１２、１３、１４、１５、１６又は１７に記載の循環型運搬梱包装置において、固定手段は、パレット上に台座部材を回動可能に保持する蝶番からなることを特徴とする循環型運搬梱包装置。
【請求項１９】
請求項１２、１３、１４、１５、１６、１７又は１８に記載の循環型運搬梱包装置において、固定手段は、パレット上に台座部材を固定するラッチ部材からなることを特徴とする循環型運搬梱包装置。
【請求項２０】
請求項１２、１３、１４、１５、１６、１７、１８又は１９に記載の循環型運搬梱包装置において、台座部材は、大きさが異なる画像形成装置、又は、上記画像形成装置に関連する画像形成装置関連物品を固定して載置することを特徴とする循環型運搬梱包装置。
【請求項２１】
請求項２０に記載の循環型運搬梱包装置において、画像形成装置は、電子写真方法でトナー画像を形成することを特徴とする循環型運搬梱包装置。
【発明の詳細な説明】
【技術分野】
【０００１】
本発明は、パレット、及び、そのパレットを具備する循環型運搬梱包装置に関し、詳しくは、運搬や保管する物品を載置するパレット、及び、そのパレットを具備する運搬や保管する印刷装置等のインクジェットプリンターや電子写真方法でトナー画像を形成する複写機、ファクシミリ装置、プリンタあるいはこれ等の複合機等の画像形成装置や画像形成装置に関連する画像形成装置関連物品の梱包に繰り返し使用する循環型運搬梱包装置に関する。
【背景技術】
【０００２】
従来から、パレット、及び、そのパレットを具備する循環型運搬梱包装置は、画像形成装置や電気製品等の工業製品、その部品やユニット等の関連部品、建築材料、家具、天然物、又は、その他の各種物品を運搬し、又は、これらを保管する際に用いられている。
又、運搬する物品の外観形状や大小等に対応する為、パレット寸法は、それぞれ物品の大きさに見合った専用サイズのものを製作しているのがごく一般的である。
更に、個々の物品をパレットで梱包する場合、個々の物品が輸送中に破損しないよう緩衝材等により物品を保護している。
然し、輸送中のトラック等の思わない振動や衝撃に依る物品の破損は、どうしても避けることが出来ないのが現状であった。
物品運搬装置としては、一般的に物品の形状に合わせ、最小、且つ、最良な輸送効率になる様な包装形態にて梱包するのが理想である。
然し、近年においては、包装資材、並びに、包装設計を個々の物品毎に行わなければならず大きな労力と時間、管理コストなどが考慮されて、包装部材に使われる資材に対する無駄遣いを見直し、いろいろな循環型包装の提案がなされている。
異なる大きさや形状から成る、例えば、画像形成装置やその画像形成装置関連ユニット等の物品を扱うメーカとしては、物品の包装形態が同一構成の運搬保管用パレットを使用する事で、各々の物品の生産量の違いや大きさの違う物品の梱包に随時適応出来る様な包装形態への要望がある。
そこで、物品を上下より挟み込んで収容するデッキ部、及び、上面部と、デッキ部に設けられ収容する物品の各コーナ部分を支持して、その物品を水平方向に拘束するとともに、その物品を拘束する位置を水平方向に調整可能な物品ガイドと、デッキ部、及び、上面部を連結する固定ベルトを保持するベルト固定金具、及び、ベルトガイド部を具備して、比較的自由なサイズの物品を運搬することが可能であるとともに、物品の運搬を行わない非使用時にコンパクトな形状にまとめることができるパレットは公知である（特許文献１を参照）。
【０００３】
更に、物品を載置するパレットの四隅に着脱可能に取り付けられる各支柱の間の間隔を自由に変えることが出来るように、隣り合う２本の支柱の間に第１、及び、第２連結部材を設け、下側の物品運搬保管装置の上に上側の物品運搬保管装置を載せるとき、その上側の物品運搬保管装置を案内するガイド部材を天板に設けて、その複数の支柱の下部のそれぞれが直接、又は、他の部材を介して取り付けられる支柱取り付け部を有していると共に、互いに隣り合う２つの支柱取り付け部の間の間隔と、これらの支柱取り付け部に対向し、且つ、互いに隣り合う他の２つの支柱取り付け部の間隔の少なくとも２つの間隔を調整可能にする物品運搬保管装置も公知である（特許文献２を参照）。
然し、いずれも構造が複雑で、汎用性に乏しく積荷効率が悪く、緩衝材を使用しても保管、又は、運搬する、例えば、画像形成装置、又は、画像形成装置に関連する画像形成装置関連物品等の物品の破損をどうしても避けることが出来なかっただけでなくコスト高にもなっていたのである。
従って、従来のパレット、及び、そのパレットを具備する循環型運搬梱包装置においては、構造が複雑で、汎用性に乏しく積荷効率が悪く、緩衝材を使用しても保管、又は、運搬する、例えば、画像形成装置、又は、画像形成装置に関連する画像形成装置関連物品等の物品の破損を避けることが困難でコスト高になると言う不具合が生じていた。
【特許文献１】特開平１１−１０５８７３号公報
【特許文献２】特開２００１−７２１７７公報
【発明の開示】
【発明が解決しようとする課題】
【０００４】
従来のパレット、及び、そのパレットを具備する循環型運搬梱包装置においては、構造が複雑で、汎用性に乏しく積荷効率が悪く、緩衝材を使用しても保管、又は、運搬する、例えば、画像形成装置、又は、画像形成装置に関連する画像形成装置関連物品等の物品の破損を避けることが困難でコスト高になると言う問題が発生していた。
そこで本発明の課題は、このような問題点を解決するものである。即ち、簡単な構造で、汎用性や積荷効率が優れ、保管、又は、運搬する、例えば、画像形成装置、又は、画像形成装置に関連する画像形成装置関連物品等の物品の破損を容易に防止して低コストであるパレット、及び、そのパレットを具備する循環型運搬梱包装置を提供することを目的とする。
【課題を解決するための手段】
【０００５】
上記目的を達成するために、請求項１に記載の本発明は、運搬や保管する物品を載置するパレットであって、上記物品を載置するデッキボードと、上記デッキボードを支持するパレット本体と、を備え、上記パレット本体は、２分割した形状の２つの分割パレットから成ることを特徴とする。
請求項２の発明は、請求項１において、上記デッキボードと上記２つの分割パレットとを、嵌合手段を介して着脱自在に連結可能に構成したことを特徴とする。
請求項３の発明は、請求項１，又は２において、上記分割パレットは、大きさが異なるデッキボードを交換して支持することが可能であることを特徴とする。
請求項４の発明は、請求項１、２又は３において、上記２つの分割パレットの分割方向寸法が異なるデッキボードを交換して支持することが可能であることを特徴とする。
請求項５の発明は、請求項１、２、３又は４に記載のパレットにおいて、上記各分割パレットは、荷役時に使用する荷役用空間の両側方に端脚部を備えることを特徴とする。
請求項６の発明は、請求項５に記載のパレットにおいて、上記各分割パレットは、２つの荷役用空間の中間位置に中間脚部を備えていることを特徴とする。
請求項７の発明は、請求項１、２、３、４、５又は６に記載のパレットにおいて、上記各分割パレットは、デッキボードの外周の側面を囲むデッキボード囲み部を備えることを特徴とする。
【０００６】
請求項８の発明は、請求項２、３、４、５、６又は７に記載のパレットにおいて、嵌合手段は、凸形状の凸形状部と、上記凸形状部に着脱可能に嵌め合う凹形状の凹形状部とからなることを特徴とする。
請求項９の発明は、請求項８に記載のパレットにおいて、凸形状部は、上記各分割パレットの上面であって、デッキボードの下面に形成された凹形状部と嵌合する位置に形成したことを特徴とする。
請求項１０の発明は、請求項８又は９に記載のパレットにおいて、凸形状部と凹形状部は、上記各分割パレットの上面、及び、デッキボードの下面に、千鳥足の形状に複数個を配列したことを特徴とする。
請求項１１の発明は、請求項１乃至１０の何れか一項に記載のパレットにおいて、上記各分割パレットの中間位置に、デッキボードの強度を補強する中間補強パレットを配置したことを特徴とする。
請求項１２に記載の本発明は、運搬や保管する物品の梱包に繰り返し使用する循環型運搬梱包装置において、運搬や保管する物品を固定して載置する台座部材と、上記台座部材を上記請求項１乃至１１の何れか一項に記載のパレット上に緩衝部材を介して固定する固定手段とからなる循環型運搬梱包装置であることを最も主要な特徴とする。
請求項１３に記載の本発明は、請求項１２に記載の循環型運搬梱包装置において、緩衝部材は、弾性を持つ材質で、且つ、振動、及び、衝撃を吸収する無反発性材料からからなる循環型運搬梱包装置であることを主要な特徴とする。
請求項１４に記載の本発明は、請求項１２又は１３に記載の循環型運搬梱包装置において、緩衝部材は、弾性を持ち、且つ、振動、及び、衝撃を吸収する無反発護謨からなる循環型運搬梱包装置であることを主要な特徴とする。
【０００７】
請求項１５に記載の本発明は、請求項１２、１３又は１４に記載の循環型運搬梱包装置において、緩衝部材は、着脱手段により台座部材の下面に着脱可能である循環型運搬梱包装置であることを主要な特徴とする。
請求項１６に記載の本発明は、請求項１５に記載の循環型運搬梱包装置において、着脱手段は、マジックテープからなる循環型運搬梱包装置であることを主要な特徴とする。
請求項１７に記載の本発明は、請求項１５に記載の循環型運搬梱包装置において、着脱手段は、台座部材に形成された係止部に着脱可能な緩衝部材と一体に形成した係合部からなる循環型運搬梱包装置であることを主要な特徴とする。
請求項１８に記載の本発明は、請求項１２、１３、１４、１５、１６又は１７に記載の循環型運搬梱包装置において、固定手段は、パレット上に台座部材を回動可能に保持する蝶番からなる循環型運搬梱包装置であることを主要な特徴とする。
請求項１９に記載の本発明は、請求項１２、１３、１４、１５、１６、１７又は１８に記載の循環型運搬梱包装置において、固定手段は、パレット上に台座部材を固定するラッチ部材からなる循環型運搬梱包装置であることを主要な特徴とする。
請求項２０に記載の本発明は、請求項１２、１３、１４、１５、１６、１７、１８又は１９に記載の循環型運搬梱包装置において、台座部材は、大きさが異なる画像形成装置、又は、上記画像形成装置に関連する画像形成装置関連物品を固定して載置する循環型運搬梱包装置であることを主要な特徴とする。
請求項２１に記載の本発明は、請求項２０に記載の循環型運搬梱包装置において、画像形成装置は、電子写真方法でトナー画像を形成する循環型運搬梱包装置であることを主要な特徴とする。
【発明の効果】
【０００８】
本発明は、以下に説明するように構成されているので、請求項１の発明によれば、簡単な構造で、汎用性が優れ、低コストであるパレットを提供することが出来るようになった。
請求項２の発明によれば、２分割して一体的に繋ぐ簡単な構造で、汎用性が優れ、低コストであるパレットを提供することが出来るようになった。
請求項３の発明によれば、簡単な構造で、多くの物品に対応することが出来て汎用性が優れ、低コストであるパレットを提供することが出来るようになった。
請求項４の発明によれば、簡単な構造で、積荷効率が良く優れ、多くの物品に対応することが出来て汎用性が優れ、低コストであるパレットを提供することが出来るようになった。
請求項５の発明によれば、簡単な構造で、汎用性が優れ、荷役作業も容易に行われて低コストであるパレットを提供することが出来るようになった。
請求項６の発明によれば、簡単な構造で強度が強化されて、汎用性が優れ、荷役作業も容易に行われて低コストであるパレットを提供することが出来るようになった。
請求項７の発明によれば、簡単な構造で、汎用性が優れ、低コストで、破損を防止すると、共に、着脱時の安全を確保するパレットを提供することが出来るようになった。
請求項８の発明によれば、２分割して凸形状部と凹形状部を嵌め合せて一体的に繋ぐ簡単な構造で、汎用性が優れ、低コストであるパレットを提供することが出来るようになった。
請求項９の発明によれば、２分割して凸形状部と凹形状部を嵌め合せて一体的に繋ぐ簡単な構造で凸形状部の破損も防止して、汎用性が優れ、低コストであるパレットを提供することが出来るようになった。
【０００９】
請求項１０の発明によれば、２分割して凸形状部と凹形状部を嵌め合せて一体的に繋ぐ簡単な構造で、汎用性が優れ、低コストで安定したパレットを提供することが出来るようになった。
請求項１１の発明によれば、簡単な構造で、汎用性が優れ、低コストで強度が補強されるパレットを提供することが出来るようになった。
請求項１２の発明によれば、簡単な構造で、汎用性や積荷効率が優れ、保管、又は、運搬する物品の振動や衝撃等に依る破損を容易に防止して低コストである循環型運搬梱包装置を提供することが出来るようになった。
請求項１３の発明によれば、簡単な構造で、汎用性や積荷効率が優れ、保管、又は、運搬する物品の振動や衝撃等に依る破損を共振を抑え耐久性等が優れている無反発性材料で容易に防止して低コストである循環型運搬梱包装置を提供することが出来るようになった。
請求項１４の発明によれば、簡単な構造で、汎用性や積荷効率が優れ、保管、又は、運搬する物品の振動や衝撃等に依る破損を共振を抑え耐久性等が優れている無反発性護謨で容易に防止して低コストである循環型運搬梱包装置を提供することが出来るようになった。
請求項１５の発明によれば、簡単な構造で、汎用性や積荷効率が優れ、着脱可能な緩衝部材によって保管、又は、運搬する物品の振動や衝撃等に依る破損を容易に防止して低コストである循環型運搬梱包装置を提供することが出来るようになった。
請求項１６の発明によれば、簡単な構造で、汎用性や積荷効率が優れ、マジックテープで容易に着脱可能な緩衝部材によって保管、又は、運搬する物品の振動や衝撃等に依る破損を容易に防止して低コストである循環型運搬梱包装置を提供することが出来るようになった。
【００１０】
請求項１７の発明によれば、簡単な構造で、汎用性や積荷効率が優れ、台座部材に形成された係止部に着脱可能な緩衝部材と一体に形成した係合部で容易に確実に着脱可能な緩衝部材によって保管、又は、運搬する物品の振動や衝撃等に依る破損を容易に防止して低コストである循環型運搬梱包装置を提供することが出来るようになった。
請求項１８の発明によれば、簡単な構造で、汎用性や積荷効率が優れ、台座部材を回動可能に保持して長い期間の使用においても緩衝部材の定期的なメンテナンスの作業性が良くなり交換時間が短縮され効率化が図れ、保管、又は、運搬する物品の振動や衝撃等に依る破損を容易に防止して低コストである循環型運搬梱包装置を提供することが出来るようになった。
請求項１９の発明によれば、簡単な構造で、汎用性や積荷効率が優れ、台座部材を容易に着脱が出来るように固定して長い期間の使用においても緩衝部材の定期的なメンテナンスの作業性が良くなり交換時間が短縮され効率化が図れ、保管、又は、運搬する物品の振動や衝撃等に依る破損を容易に防止して低コストである循環型運搬梱包装置を提供することが出来るようになった。
請求項２０の発明によれば、簡単な構造で、汎用性や積荷効率が優れ、保管、又は、運搬する画像形成装置、又は、画像形成装置に関連する画像形成装置関連物品の振動や衝撃等に依る破損を容易に防止して低コストで、必要な時と場所で画像を形成することが出来るようにする循環型運搬梱包装置を提供することが出来るようになった。
請求項２１の発明によれば、簡単な構造で、汎用性や積荷効率が優れ、保管、又は、運搬する電子写真方法でトナー画像を形成する画像形成装置、又は、電子写真方法でトナー画像を形成する画像形成装置に関連する画像形成装置関連物品の振動や衝撃等に依る破損を容易に防止して低コストで、必要な時と場所で高速で高品質のトナー画像を形成することが出来るようにする循環型運搬梱包装置を提供することが出来るようになった。
【発明を実施するための最良の形態】
【００１１】
次に、本発明の実施の形態は、図面を参照して詳細に説明する。
図１と図２において、運搬や保管する物品を載置するパレット０は、選択された大きさの平板状のデッキボード１と、上記デッキボード１を載置するパレット本体２と、上記パレット本体２を２分割した形状の一方の分割パレット２ａと、上記一方の分割パレット２ａと図示の矢印（Ａ）方向の分割した方向に配置した他方の分割パレット２ｂとなり、簡単な構造で、汎用性が優れ、低コストである。
上記パレット０は、上記パレット本体２を図示の矢印（Ａ）方向に２分割にする形状にする事で、その金型の製作コスト、並びに、その部品コスト等を大幅に削減することが出来るようになった。
更に、上記パレット０は、上記デッキボード１を載置する上記パレット本体２を２分割にし、上記一方の分割パレット２ａと上記他方の分割パレット２ｂを、嵌合手段３により上記デッキボード１に嵌め込む構成にして、一体的に繋ぐ簡単な構造になっている。
そして、上記パレット０において、上記パレット本体２を２分割した上記一方の分割パレット２ａと上記他方の分割パレット２ｂの幅寸法は、基本的に、運搬車（トラック）の荷台の内幅寸法である。
これに対し、上記パレット０は、例えば、３列、又は、４列積める幅寸法で、上記デッキボード１は、例えば、トラック長さ内寸法に合わせ、奥行き寸法の幾つかをモジュール化した長さの上記デッキボード１にする事で、積荷効率が良く優れ、多くの物品に対応することが出来るようになっている。
【００１２】
上記デッキボード１は、上記パレット本体２を２分割した上記一方の分割パレット２ａと上記他方の分割パレット２ｂとを上記嵌合手段３を介して一体的に繋ぐと共に、分割パレット２ａ、２ｂの図示の矢印Ａ方向（分割方向）に分割した方向にスライドする奥行き寸法の大きさが異なる複数個が交換可能であるから、運搬や保管するために載置する物品の大きさに合った上記パレット０を提供することが出来るようになり、より細かな物品対応が可能になり、多種多用途である。
上記パレット本体２を２分割した上記一方の分割パレット２ａ、及び、上記他方の分割パレット２ｂは、その側面に荷役時に使用する荷役用空間（切欠き）４を形成して両端側を支持する両端脚部２ｃとからなり、荷役時に、例えば、荷役装置１００のフォーク１０１を上記荷役用空間４に出し入れして、荷役作業が容易に行われるようになっている。
上記パレット本体２を２分割した上記一方の分割パレット２ａ、及び、上記他方の分割パレット２ｂは、上記荷役用空間４の中間に中間脚部２ｄを配置して強度が強化されている。
更に、上記パレット本体２を２分割した上記一方の分割パレット２ａ、及び、上記他方の分割パレット２ｂは、上記デッキボード１の外周の側面をデッキボード囲み部２ｅで囲んでいるから、上記嵌合手段３の凸形状の凸形状部３ａを保護して破損を防止すると、共に、着脱時の安全を確保するようになっている。
上記嵌合手段３は、凸形状の上記凸形状部３ａと、上記凸形状部３ａに着脱可能に嵌合する凹形状の凹形状部３ｂとからなり、上記凸形状部３ａは上記パレット本体２を２分割した上記一方の分割パレット２ａ、及び、上記他方の分割パレット２ｂの上面２ｆに、上記デッキボード１の下面１ａに形成された上記凹形状部３ｂと嵌合する位置に形成したので、上記凸形状部３ａが床面に置かれて破損することも防止する簡単な構造である（図２を参照）。
上記凸形状部３ａと上記凹形状部３ｂは、上記パレット本体２を２分割した上記一方の分割パレット２ａ、及び、上記他方の分割パレット２ｂの上記上面２ｆ、及び、上記デッキボード１の上記下面１ａに千鳥足の形状に複数個を配列したから、一体的に繋がれて、更に、安定した上記パレット０を提供することが出来るようになった。
上記パレット０は、サイズの異なるデッキボードに対して共通使用可能であり、上記デッキボード１の長さ変更により、異なる大きさのパレット構成が簡単に作り出せるので、運搬や保管するために載置する物品の大きさをある程度モジュール化する事で積荷効率も良く、製作コストを削減することが出来て汎用性にも優れて、繰り返し使用可能である。
図３において、上記パレット０は、上記パレット本体２を図示の矢印（Ａ）方向に２分割した分割パレット２ａ、２ｂの中間に中間補強パレット５を配置して、上記デッキボード１の中間部を支持して、その強度を補強することも出来るようになっている。
【００１３】
図４乃至図６において、運搬や保管する物品の梱包に繰り返し使用する循環型運搬梱包装置１０は、運搬や保管する物品を固定して載置する台座部材１１と、上記台座部材１１を上記請求項１乃至１１の何れか一項に記載の上記パレット０の上記デッキボード１の上面１ｂに緩衝部材１２を介して固定する固定手段１３とからなり、簡単な構造で、汎用性や積荷効率が優れ、保管、又は、運搬する物品の振動や衝撃等に依る破損を容易に防止して低コストである。
上記緩衝部材１２は、弾性を持つ材質で、且つ、振動、及び、衝撃を吸収する無反発性材料の無反発護謨等が有効である。
上記緩衝部材１２として無反発護謨等が有効なのは、輸送中の多くはトラックや貨物などの輸送中の振動を受ける時間が大部分であることから、振動による共振による物品破損が考えられることから、共振を抑え耐久性等が優れているから有効である。
図５に図示するように、無反発護謨等からなる上記緩衝部材１２は、上記着脱手段１２ａのマジックテープ１２ａ１によって、上記台座部材１１に容易に着脱可能である。
又は、図６に図示するように、無反発護謨等からなる上記緩衝部材１２は、上記着脱手段１２ａの無反発護謨等からなる上記緩衝部材１２と一体に形成した係合部１２ａ２にっよって、上記台座部材１１に形成された係止部１１ｂに容易に確実に着脱することが出来る。
従って、無反発護謨等からなる上記緩衝部材１２は、着脱手段１２ａにより上記台座部材１１に容易に確実に着脱可能であるから、無反発護謨等からなる上記緩衝部材１２の定期的なメンテナンス、廃棄時の分離と修理交換等が容易に低コストで行うことが出来るようになった。
上記固定手段１３の蝶番１３ａにより、上記パレット０の上記デッキボード１の上面１ｂに上記台座部材１１を図示の矢印（Ｂ）方向に回動可能に保持して、ラッチ部材１３ｂにより上記パレット０の上記デッキボード１の上記上面１ｂに上記台座部材１１を容易に着脱が出来るように固定することが出来るようになっている。
従って、長い期間の使用においても、上記緩衝部材１２の定期的なメンテナンスの作業性が良くなり交換時間が短縮され効率化が図れて、輸送中のトラック等の思わない振動や衝撃に依る物品の破損を低コストで避けることが出来る上記循環型運搬梱包装置１０を提供することが出来るようになった。
【００１４】
図７と図８において、上記循環型運搬梱包装置１０は、上記台座部材１１の上面１１ｃに、図示しない固定部材で、大きさが異なる画像形成装置５０、又は、上記画像形成装置５０に関連する画像形成装置関連物品を固定して載置することにより、上記画像形成装置５０、又は、上記画像形成装置５０に関連する画像形成装置関連物品を、簡単な構造で、汎用性や積荷効率が優れ、振動や衝撃等に依る破損を容易に防止して低コストで保管、又は、運搬されて、必要な時と場所に設置して画像を形成することが出来るようになった。
図８に示すように、上記画像形成装置５０の電子写真方法でトナー画像を形成する複写機は、上部には、原稿（Ｏ）の原稿画像を読み取る原稿画像読取部６１が配置されている。
他方、下部には、画像形成部５９を載置して被転写体（Ｐ）の転写用紙を供給する給紙装置６０が配置されている。
上記原稿画像読取部６１で読み取る原稿（０）の原稿画像の画像データでトナー画像を形成する電子写真方法による、潜像形成手段５３のレーザーダイオードを発光させることにより、上記帯電手段５２で均一に帯電された上記像担持体５１のドラム形状の感光体ドラムの上記表面５１ａに潜像を形成する。
上記潜像形成手段５３のレーザーダイオードを発光させて形成した静電潜像を現像手段５４で顕像化してトナー画像を形成する。
上記現像手段５４で顕像化したトナー画像は、上記転写手段５５で、上記給紙装置６０から搬送されて来る被転写体（Ｐ）の転写用紙に転写して記録される。
上記転写手段５５で被転写体（Ｐ）の転写用紙に転写して記録されたトナー画像は、定着手段５６にて加熱と加圧後に、被転写体（Ｐ）の転写用紙は排紙ローラよって排紙トレイ５７に排紙されて収納される。
他方、上記像担持体５１のドラム形状の感光体ドラムの上記表面５１ａは、被転写体（Ｐ）の転写用紙にトナー画像を転写した後に、上記像担持体５１のドラム形状の感光体ドラムの上記表面５１ａに付着した残留トナーを、クリーニング手段５８によって掻き落とされてクリーニングされて、次工程の画像形成に備えるようになっている。
従って、上記循環型運搬梱包装置１０における上記台座部材１１の上面１１ｃに、図示しない固定部材で、固定して載置される上記画像形成装置５０の電子写真方法でトナー画像を形成する複写機は、簡単な構造で、汎用性や積荷効率が優れ、振動や衝撃等に依る破損を容易に防止して低コストで保管、又は、運搬されて、必要な時と場所に設置して、高速で高品質のトナー画像を形成することが出来るようになった。
【図面の簡単な説明】
【００１５】
【図１】本発明の実施の形態例を示すパレットを説明する斜視図。
【図２】本発明の実施の形態例を示すパレットを説明する展開図。
【図３】本発明の他の実施の形態例を示すパレットを説明する斜視図。
【図４】本発明の他の実施の形態例を示すパレットを具備する循環型運搬梱包装置の状態を説明する斜視図。
【図５】本発明の他の実施の形態例を示すパレットを具備する循環型運搬梱包装置の主要部を説明する説明図。
【図６】本発明の他の実施の形態例を示すパレットを具備する循環型運搬梱包装置の他の主要部を説明する説明図。
【図７】本発明の他の実施の形態例を示すパレットを具備する循環型運搬梱包装置の他の主要部を説明する斜視図。
【図８】本発明の他の実施の形態例を示すパレットを具備する循環型運搬梱包装置の他の主要部を説明する説明図。
【符号の説明】
【００１６】
０  パレット
１  デッキボード、
１ａ  下面、
１ｂ  上面
２  パレット本体、
２ａ  一方の分割パレット、
２ｂ  他方の分割パレット、
２ｃ  両端脚部、
２ｄ  中間脚部、
２ｅ  デッキボード囲み部、
２ｆ  上面
３  嵌合手段、
３ａ  凸形状部、
３ｂ  凹形状部
４  荷役用空間
５  中間補強パレット
１０  循環型運搬梱包装置
１１  台座部材、
１１ａ  下面、
１１ｂ  係止部、
１１ｃ  上面
１２  緩衝部材、
１２ａ  着脱手段、
１２ａ１  マジックテープ、
１２ａ２  係合部
１３  固定手段、
１３ａ  蝶番、
１３ｂ  ラッチ部材
５０  画像形成装置
５１  像担持体、
５１ａ  表面
５２  帯電手段
５３  潜像形成手段
５４  現像手段
５５  転写手段
５６  定着手段
５７  排紙トレイ
５８  クリーニング
５９  画像形成部
６０  給紙装置
６１  原稿画像読取部
１００  荷役装置
１０１  フォーク
【図１】
2005187038.tif 000003
【図２】
2005187038.tif 000004
【図３】
2005187038.tif 000005
【図４】
2005187038.tif 000006
【図５】
2005187038.tif 000007
【図６】
2005187038.tif 000008
【図７】
2005187038.tif 000009
【図８】
2005187038.tif 000010